(57)【要約】      （修正有）【課題】表示装置の振動の効率が低下することを抑制し、信頼性の高い表示装置を提供する。【解決手段】表示部を有する表示パネル２０と、表示パネル２０を覆うように設けられ、表示パネル２０に臨む側とは反対側に操作面を有する操作パネル１０と、操作パネル１０に配設される振動体１３ａ、１３ｂと、操作パネル１０の操作面とは反対側に、操作パネル１０に間隔をあけて対向して配設される支持体と、操作パネル２０と支持体との間に配設され、振動体１３ａ、１３ｂの振動に対して弾性変形可能な弾性支持部材５０ａ、５０ｂと、操作パネル１０と支持体にわたって、表示部を外囲するように配設され、振動体１３ａ，１３ｂの振動に対して変形可能で網目状構造体から成る通気可能な壁部材６０と、を備える。【選択図】図２
2018165920.tif 000002
【特許請求の範囲】
【請求項１】
表示部を有する基板と、
前記基板に配設される振動体と、
前記基板に間隔をあけて対向して配設される支持体と、
前記基板と前記支持体との間に配設され、前記振動体の振動に対して弾性変形可能な弾性支持部材と、
前記基板と前記支持体にわたって、前記表示部を外囲するように配設され、前記振動体の振動に対して変形可能な壁部材と、を備え、
前記壁部材は網目状構造体から成る通気可能な空隙部を含むことを特徴とする表示装置。
【請求項２】
前記壁部材の空隙部の体積占有率は、４０％以上１００％未満であることを特徴とする請求項１に記載の表示装置。
【請求項３】
前記基板の振動時に前記壁部材を通過する空気の圧力損失が０．１パスカル乃至１００パスカルである請求項１または請求項２に記載の表示装置。
【請求項４】
前記表示部は、液晶表示部であることを特徴とする請求項１〜３のいずれか１つに記載の表示装置。
【請求項５】
前記支持体は、バックライト装置を含むことを特徴とする請求項４に記載の表示装置。
【請求項６】
表示部を有する表示パネルと、
前記表示パネルを覆うように設けられ、前記表示パネルに臨む側とは反対側に操作面を有する操作パネルと、
前記操作パネルに配設される振動体と、
前記操作パネルの操作面とは反対側に、前記操作パネルに間隔をあけて対向して配設される支持体と、
前記操作パネルと前記支持体との間に配設され、前記振動体の振動に対して弾性変形可能な弾性支持部材と、
前記操作パネルと前記支持体にわたって、前記表示部を外囲するように配設され、前記振動体の振動に対して変形可能な壁部材と、を備え、
前記壁部材は網目状構造体から成る通気可能な空隙部を含むことを特徴とする表示装置。
【発明の詳細な説明】
【技術分野】
【０００１】
本発明は、振動によって触感を呈示する表示装置に関する。
【背景技術】
【０００２】
近年、スマートフォン、タブレット型パーソナルコンピュータなどの携帯情報機器や、電子レンジ、テレビ、照明器具などの家電製品等の各種の民生用機器、さらには、現金自動預け払い機、自動券売機、自動販売機等の各種の産業用機器において、操作者に振動による触感を呈示するタッチパネルが搭載されつつある。
【０００３】
例えば、特許文献１に記載されている従来技術では、パネルの触感呈示面（操作面）とは反対側であるパネル背面に振動により触感を呈示する触感呈示部が配設され、触感呈示部が振動した際に、触感呈示部の触感呈示面とは反対側の空間の気圧を制御する気圧制御部を備えた触感呈示装置が開示されており、その触感呈示装置の筐体には、気圧制御用の通気孔が設けられている。
【先行技術文献】
【特許文献】
【０００４】
【特許文献１】特開２０１４−６６７２号公報
【発明の概要】
【発明が解決しようとする課題】
【０００５】
上述の触感呈示装置においては、筐体に設けられた通気孔によって触感呈示装置内の空間の気圧変化を低減して触感呈示部を効率よく振動させることができるが、通気孔の流路抵抗を減らすために通気孔を大きくしたり、数を増やしたりすると、筐体内にごみが侵入しやすくなり、表示部に悪影響を与えるおそれがある。また、通気孔によって通気する場合には、何らかの原因で通気孔が塞がった場合において、気密性が高くなって、所望の振幅で振動させるのにより多くの電力を必要とするため、消費電力が増加するおそれがある。
【課題を解決するための手段】
【０００６】
本発明の表示装置は、表示部を有する基板と、前記基板に配設される振動体と、前記基板に間隔をあけて対向して配設される支持体と、前記基板と前記支持体との間に配設され、前記振動体の振動に対して弾性変形可能な弾性支持部材と、前記基板と前記支持体にわたって、前記表示部を外囲するように配設され、前記振動体の振動に対して変形可能な壁部材と、を備え、前記壁部材は網目状構造体から成る通気可能な空隙部を含むことを特徴とするものである。
【０００７】
また本発明の表示装置は、表示部を有する表示パネルと、表示パネルを覆うように設けられ、表示パネルに臨む側とは反対側に操作面を有する操作パネルと、操作パネルに配設される振動体と、操作パネルの操作面とは反対側に、操作パネルに間隔をあけて対向して配設される支持体と、操作パネルと支持体との間に配設され、振動体の振動に対して弾性変形可能な弾性支持部材と、操作パネルと支持体にわたって、表示部を外囲するように配設され、振動体の振動に対して変形可能な壁部材とを備え、壁部材は網目状構造体から成る通気可能な空隙部を含むことを特徴とするものである。
【発明の効果】
【０００８】
本発明の表示装置によれば、通気可能な壁部材を備えることで、壁部材に囲まれた部分空間の振動体による圧力変動を抑制できるので、振動体による振動の効率が低下することを抑制することができる。
【図面の簡単な説明】
【０００９】
【図１】本実施形態の表示装置の一例を示す平面図である。
【図２】本実施形態の表示装置の一例を示す断面図である。
【図３】壁部材近傍の空気の流れを説明する拡大断面図である。
【発明を実施するための形態】
【００１０】
図１は、本実施形態の表示装置の一例を示す平面図である。また、図２は本実施形態の表示装置の一例を示す断面図であり、図１の表示装置の振動体１３ａ，１３ｂが含まれる断面を模式的に示すものである。図２においては、表示装置の厚み方向は、説明のために拡大されて示されている。表示装置の一例である液晶表示装置１は、操作パネルである透明なタッチパネル１０の背面に表示パネルである液晶表示パネル２０を配設し、さらに液晶表示パネル２０背面に支持体であるバックライト装置３０を配設し、タッチパネル１０、液晶表示パネル２０およびバックライト装置３０を筐体４０に収容して構成されている。
【００１１】
図１、図２に示す本発明の表示装置において、表示部を有する基板は、例えば、ガラス基板、プラスチック基板等から成る透明保護板１１の一方の主面（裏面）の側に、接触検知部１２と液晶表示パネル２０が積層配置された複合的な構成を有する基板である。
【００１２】
表示部を備えた表示パネルは、例えば表示部として液晶表示部を備えた液晶表示パネル２０を挙げることができるが、液晶表示パネル２０に限らず、有機ＥＬ（Electro  Luminescence）表示パネル、無機ＥＬ表示パネル、発光ダイオード（ＬＥＤ）表示パネルなどの自発光型表示パネルであってもよい。
【００１３】
振動体１３ａ，１３ｂは、基板を構成する透明保護板１１の裏面の周縁部（辺部）であって、平面視で液晶表示パネル２０の外側の部位に、配設されている。また振動体１３ａ，１３ｂは、それぞれ互いに対向する位置に配設されている。この場合、振動体１３ａ，１３ｂによる振動が、基板全体に均一に生じやすい。また振動体１３ａ，１３ｂは、透明保護板１１の他方の主面（表面）の側に配設されてもよい。
【００１４】
支持体は、バックライト装置３０の導光板３１から成る支持基板である。そして、導光板３１の液晶表示パネル２０の反表示面２０ｂに対向する面（光照射面）の周縁部に、枠体３２の張り出し部（鍔部）があり、その張り出し部において、弾性支持部材５０ａ，５０ｂ，５０ｃ，５０ｄを介して透明保護板１１を支持している。
【００１５】
壁部材６０は、基板と支持体にわたって、表示部を外囲するように配設され、振動体１３ａ，１３ｂの振動に対して変形可能なものであり、壁部材６０は網目状構造体から成る通気可能な空隙部を有している。壁部材６０は、具体的には、不織布、綿状体、エアフィルタ、ＨＥＰＡ（High  Efficiency  Particulate  Air  Filter）フィルタ等の網目状構造体から成る空隙部を有するものであり、例えば、通気可能なように目の粗さを調節することができる。目の粗さの調節は、例えば繊維と接着剤を含み、それらの含有率等の組み合わせ具合を調整することにより、行うことができる。これにより、好適な通気性を有する壁部材６０とすることができる。壁部材６０は、通気方向における空隙部（目）の密度に勾配があってもよいが、なくてもよい。
【００１６】
本発明の通気性を有する壁部材６０は、基板の振動時に壁部材６０を通過する空気の圧力損失（例えば、通過風速を２０ｃｍ／秒としたときの圧力損失）が０．１パスカル乃至１００パスカル（Ｐａ）であることが好ましい。０．１Ｐａ未満では、壁部材６０を埃、塵等が通過しやすくなる傾向がある。１００Ｐａを超えると、壁部材６０の通気性が低下するために、壁部材６０を通過する空気に対する壁部材６０の抵抗が大きくなりやすい。その結果、壁部材６０が基板の振動を阻害して振動の効率が低下しやすくなる。より好ましくは、圧力損失が０．１Ｐａ乃至５０Ｐａであることがよく、さらに好ましくは、圧力損失が０．１Ｐａ乃至４０Ｐａであることがよい。なお、基板の振動時に壁部材６０を通過する空気の通過風速は１ｃｍ／秒〜１００ｃｍ／秒程度であり、その通過風速の範囲内で圧力損失が０．１Ｐａ乃至１００Ｐａであればよい。
【００１７】
圧力損失は、以下のようにして測定できる。壁部材６０を空気が通過するときに、壁部材６０が空気に対する抵抗になって、壁部材６０の入口側の圧力と壁部材６０の出口側の圧力に差が生じる。この圧力差は測定ダクトに接続されたマノメータ（Ｕ字管マノメータ、傾斜マノメータ等）によって測定できる。壁部材６０を所定の風速（例えば、２０ｃｍ／秒）で使用したときの、壁部材６０の入口側の圧力（上流側静圧）と壁部材６０の出口側の圧力（下流側静圧）の差を、圧力損失（単位：Ｐａ）とする。
【００１８】
タッチパネル１０を構成する接触検知部１２は、支持基板であるバックライト装置３０の導光板３１に対して導光板３１の厚み方向に間隔をあけて平行に配設されている。タッチパネル１０において、操作面１１ａは、透明保護板１１の導光板３１側とは反対側の面（操作者側の面、視認者側の面）であり、接触検知部１２は、透明保護板１１の操作面１１ａ側とは反対側の裏面１１ｂ上に配設されている。
【００１９】
タッチパネル１０は、透明保護板１１の裏面１１ｂに接触検知部１２を配設して構成されている。透明保護板１１は、例えば平面視において矩形状であって、ガラス板、プラスチック板などで構成することができる。透明保護板１１の平面視形状は、矩形状に限らず、三角形状、五角形状等の多角形状、台形状、これらの形状において角部が曲線状とされた形状等であってもよく、さらには円形状、楕円形状等の全体的に曲線状の形状であってもよい。透明保護板１１は、操作者が指Ｆやタッチペンなどで触れることによって操作する操作面１１ａを有している。透明保護板１１の縁部と筐体４０との間には、隙間があり空気が流通することができる。
【００２０】
操作面１１ａとは反対側の透明保護板１１の裏面１１ｂ上には、接触検知部１２が設けられている。接触検知部１２は、薄膜状であって、例えばその平面視形状は透明保護板１１よりも小さい矩形状である。接触検知部１２の平面視形状は、上記の透明保護板１１の種々の平面視形状に相似的な形状であってもよい。接触検知部１２は、操作面１１ａに触れた指Ｆやタッチペンなどの位置を検出することができる。検出方法としては、静電容量方式、抵抗膜方式などを用いることができる。本実施形態においては、接触検知部１２は、透明保護板１１と液晶表示パネル２０との間に配設されているが、接触検知部１２は、液晶表示パネル２０内に内蔵されていてもよく、または液晶表示装置外に付与されていてもよい。
【００２１】
本発明の表示装置は、接触検知部１２は必ずしもある必要はなく、なくてもよい。例えば、圧電体等から成る振動体１３ａ，１３ｂ自体が、指Ｆやタッチペンなどの接触による変位を検知する構成であれば、接触検知部１２はなくてもよい。
【００２２】
透明保護板１１の裏面１１ｂには、複数の振動体である振動体１３ａ，１３ｂ（総称する場合には、添字ａ，ｂを省略して「振動体１３」と記す）が設けられている。例えば、振動体１３ａ，１３ｂは、透明保護板１１の矩形状の操作面１１ａの対向する２辺に沿ってそれぞれ設けられている。また、振動体１３ａ，１３ｂは、平面視において、矩形状の透明保護板１１の操作面１１ａの中心Ｐに関して点対称な位置に配置されている。振動体１３ａ，１３ｂは、透明保護板１１に直接接触するように配設して、透明保護板１１に直接振動を伝達してもよいが、他の部材を介在させて透明保護板１１に配設して、間接的に振動を伝達してもよい。また、操作者が指Ｆやタッチペンなどで操作面１１ａに触れると接触検知部１２が接触位置を検知し、検知情報に基づいて振動体１３によって操作面１１ａを振動させ、指Ｆやタッチペンを介し操作者に振動を伝えることができる。
【００２３】
振動体１３は、セラミック圧電体，ポリマー圧電体などの圧電体、偏心モーター、リニアバイブレータ、形状記憶合金などから成る。セラミック圧電体の材料としては、チタン酸バリウム（ＢａＴｉＯ３）、チタン酸鉛（ＰｂＴｉＯ３）、チタン酸ジルコン酸鉛（Ｐｂ[ＺｒｘＴｉ１―ｘ]Ｏ３  ０<ｘ<１  混晶：ＰＺＴ）、ニオブ酸カリウム（ＫＮｂＯ３）、ニオブ酸リチウム（ＬｉＮｂＯ３）、タンタル酸リチウム（ＬｉＴａＯ３）、タングステン酸ナトリウム（ＮａｘＷＯ３）、酸化亜鉛（ＺｎＯ，Ｚｎ２Ｏ３）、Ｂａ２ＮａＮｂ５Ｏ５、Ｐｂ２ＫＮｂ５Ｏ１５、リチウムテトラボレート（Ｌｉ２Ｂ４Ｏ７）、ニオブ酸ナトリウムカリウム（（Ｋ，Ｎａ）ＮｂＯ３）、チタン酸ビスマスナトリウム（Ｎａ０．５Ｂｉ０．５ＴｉＯ３）などが採用できる。ポリマー圧電体の材料としては、ポリフッ化ビニリデン（１，１―２フッ化エタン重合体：ＰＶＤＦ）などが採用できる。
【００２４】
振動体１３で発生する振動の周波数は３０Ｈｚ〜３００Ｈｚ程度であり、人の指で良好な触感が得られる触覚振動としては、１５０Ｈｚ〜２５０Ｈｚ程度が好ましい。振動の振幅は３０μｍ〜１０００μｍ程度であり、人の指で良好な触感が得られる触覚振動としては、５０μｍ〜１５０μｍ程度が好ましい。振動体１３の外観形状は、直方体、立方体、板状体および円柱状などの柱状体の形状とすることができる。振動体１３は、透明保護板１１に直接取り付けても良いし、金属や樹脂などの振動伝達部材を介して間接的に取り付けてもよい。また、タッチパネル１０を振動させることができる部分であれば、例えば、透明保護板１１の側面などに取り付けることも考えられる。
【００２５】
タッチパネル１０の操作面１１ａ側とは反対側に、表示パネルである液晶表示パネル２０が配設されている。液晶表示パネル２０は、例えば平面視でタッチパネル１０よりも小さい矩形状であり、タッチパネル１０は、液晶表示パネル２０を覆うように設けられている。液晶表示パネル２０の平面視形状は、上記の透明保護板１１の種々の平面視形状に相似的な形状であってもよい。液晶表示パネル２０は、表示面２０ａおよび反表示面２０ｂを有している。液晶表示パネル２０は、中央部に表示部（液晶表示部）２０ｃを備えており、表示部２０ｃに対応する表示面２０ａを少なくとも覆うように接触検知部１２が位置している。また、本実施例においては、液晶表示パネル２０は、タッチパネル１０の裏面に接しているが、液晶表示パネル２０は、タッチパネル１０と間隔をあけて配設されていてもよい。
【００２６】
液晶表示パネル２０の反表示面２０ｂと間隔をあけて対向するように支持体であるバックライト装置３０が設けられている。バックライト装置３０は、導光板３１と、導光板３１の周縁に配置された枠体３２と、導光板３１を載置するとともに接地導体としても機能する導体板３３を含んでいる。バックライト装置３０は内蔵されたＬＥＤ等から成る光源からの光を、導光板３１を介して液晶表示パネル２０の方向に出射するように構成されている。枠体３２および導体板３３はアルミニウムなどの金属で構成されている。
【００２７】
液晶表示パネル２０およびバックライト装置３０が、振動体１３による振動の障害にならないためには、液晶表示パネル２０とバックライト装置３０との間の空間の間隔（高さ）が１ｍｍ〜５ｍｍ程度であることがよく、より好適には薄型化の点で１ｍｍ〜３ｍｍ程度であることがよい。
【００２８】
筐体４０は、例えば平面視において矩形状であり、中央部の底面４０ａおよび底面４０ａの周縁部である枠部４０ｂを有している。底面４０ａ上にバックライト装置３０、液晶表示パネル２０およびタッチパネル１０が順に重なって配置されている。バックライト装置３０は、筐体４０の底面４０ａ上に載置され固定されている。底面４０ａの周縁の枠部４０ｂは、バックライト装置３０および液晶表示パネル２０およびタッチパネル１０の側面を保護している。筐体４０の材料としては、例えば、プラスチックや金属を使用することができる
【００２９】
タッチパネル１０の透明保護板１１の裏面１１ｂ上には、弾性支持部材が配設されている。本実施形態においては、矩形の透明保護板１１の４隅に、それぞれ弾性支持部材５０ａ，５０ｂ，５０ｃ，５０ｄが配置されている（総称する場合には、添字ａ，ｂ，ｃ，ｄを省略して「弾性支持部材５０」と記す）。弾性支持部材５０としては、ウレタンゴム，シリコーンゴム等のゴム、樹脂などから成る振動体１３の振動に追随して変位して、操作パネルの振動を減衰させ難い材質の部材を用いることができる。また、スプリングコイルや、板バネなどのバネ部材を用いてもよい。
【００３０】
これらの弾性支持部材５０は、支持体であるバックライト装置３０の枠体３２と操作パネルである透明保護板１１の間に配置されている。弾性支持部材５０は、透明保護板１１を支持している。また、弾性支持部材５０は、一端が枠体３２に接触し、他端が透明保護板１１の裏面１１ｂに接触している。弾性支持部材５０は、配置した位置が移動しないように枠体３２および透明保護板１１に接着材などによって固定して保持されている。操作パネルと表示パネルが一体的に形成されている場合には、弾性支持部材５０の一端が表示パネルの反表示面に固定され他端が支持体に固定されるような構造も可能である。
【００３１】
表示パネルとして液晶表示パネル２０を用いる場合には、バックライト装置３０を支持体として用いることができるが、例えば、有機ＥＬ（Electro  Luminescence）表示パネル、発光ダイオード（ＬＥＤ）表示パネルなどの自発光型パネルのように、導光板を含むバックライト装置を必要としない表示パネルを用いた場合においては筐体４０を支持体としてもよい。
【００３２】
透明保護板１１の裏面１１ｂと、バックライト装置３０の枠体３２との間にわたって、壁部材６０が設けられている。壁部材６０は、表示部としての液晶表示パネル２０を取り囲むように配置されている。すなわち、操作パネルと支持体にわたって表示部を外囲するように、壁部材６０が配設されている。壁部材６０によって、表示部を含む壁部材６０の内側の空間と、壁部材６０の外側の空間に仕切られるが、壁部材６０は、多数の空隙部を含んでおり、空隙部によって、壁部材６０の内側の空間と壁部材６０の外側の空間とは連通している。壁部材６０は、多数の連続した細孔を持った部材から成り、例えば超高分子量ポリエチレン多孔質フィルム（日東電工株式会社製、製品名「サンマップ」）、上記の不織布、綿状体、エアフィルタ、ＨＥＰＡフィルタなどの変形可能な部材を用いて形成することができる。これにより、細孔などの空隙部によって、壁部材６０の内側の空間と壁部材６０の外側の空間とが連通し通気可能とされている。超高分子量ポリエチレン多孔質フィルムは、例えば、超高分子量ポリエチレン粉末の焼結多孔質成形体を作製し、これを切削加工等することにより所定の形状、大きさのものとして作製される。なお、超高分子量ポリエチレン多孔質フィルム（日東電工株式会社製、製品名「サンマップ」）から成る壁部材６０の圧力損失を測定したところ、壁部材６０の厚みが０．３２ｍｍ、通過風速が２０ｃｍ／秒である場合、４０Ｐａであった。
【００３３】
図３は、壁部材６０近傍の空気の流れを説明する断面拡大図である。液晶表示パネル２０とバックライト装置３０との間は、液晶表示パネル２０とバックライト装置３０の間の空間に埃が入らないように気密性の高い構造であることが多い。しかし、このような表示装置に振動体１３を取り付けて触感を呈示する表示装置を構成すると、振動体１３の振動によって、液晶表示パネル２０とバックライト装置３０の間の気密性の高い空間の気圧の圧力変動が大きくなる。また、液晶表示パネル２０とバックライト装置３０の間の空間の気圧の圧力変動が筐体４０などの触感を呈示すべき操作パネル以外の部分にも伝わって、触感等の使用感を損ねるおそれがある。また、振動が拡散、減衰して表示装置を効率良く振動させることが難しくなる。
【００３４】
そこで、壁部材６０として、振動体１３の振動に対して変形可能であって空隙部を備えた部材を使用する。壁部材６０は、振動体１３に追従して変形するので、振動体１３の振動は、壁部材６０を介して筐体４０には伝わりにくい。そのため、振動体１３の振動が筐体４０などの部分に拡散せず、タッチパネル１０を効率よく振動させることができる。
【００３５】
また、透明保護板１１の振動によって、壁部材６０の内側の空間Ｓに微小な体積変化が生じるが、空間Ｓの気密性が高い場合には、空間Ｓの気圧の圧力変動が大きくなってその振動が筐体４０に伝わったり、圧力損失などによって振動エネルギーが拡散、減衰したりしやすくなる。そこで、壁部材６０に空隙部を備えることによって空隙部を介して空間Ｓと壁部材６０の外側の空間とが連通した構成とする。これによって、空間Ｓの体積変動した分の空気が壁部材６０を介して流通し、空間Ｓの気圧の圧力変動が抑制される。このように、振動体１３の振動による壁部材６０の内側の空間の気圧の圧力変動を緩和し、操作パネルを構成する透明保護板１１の振動の減衰を抑制することができるので、透明保護板１１を効率よく振動させることができる。そのため、振動体１３を駆動する電力が増大することを抑えることができる。
【００３６】
また、壁部材６０は、弾性支持部材５０のようにタッチパネル１０や液晶表示パネル２０を支持する必要がないので、弾性支持部材５０のような剛性は必要がなく、壁部材６０の内側の空間Ｓに埃が侵入を防ぐことができれば壁の厚さは薄くともよく、弾性支持部材５０よりも剛性の低い方が壁部材６０の内側の空間Ｓの気圧の圧力変動が小さくなるので好ましい。例えば、壁部材６０の空隙部を構成する部分において壁部材６０のうち空隙部が存在している部分の空隙部の体積の割合である、空隙部の体積占有率は４０％以上１００％未満とすることが望ましい。すなわち、空隙部の壁を構成する樹脂や繊維の割合が、空隙部が存在している部分の体積の６０％以下であることが望ましい。空隙部の体積占有率が４０％未満である場合、壁部材６０の通気性が劣化し、振動体１３による振動の効率が低下しやすくなる傾向がある。より好ましくは空隙部の体積占有率は８０％以上１００％未満、さらに好ましくは９０％以上１００％未満であることがよい。
【００３７】
壁部材６０の空隙部は、壁部材６０の内側の空間Ｓと、壁部材６０の外側の空間との通気性が十分確保されていれば、壁部材６０の一部だけに、空隙部を構成する部分を設け、他の部分を空隙部のない部材で構成しても良い。また、壁部材６０の全部を空隙部のある材料で構成することによって、壁部材６０の内側の空間と壁部材６０の外側の空間との通気性を向上させることができる。これにより、壁部材６０の内側の空間Ｓの気圧の圧力変動を減少させることによって、操作パネルを構成する透明保護板１１の振動の減衰をより抑制し、透明保護板１１をより効率よく振動させることができる。
【００３８】
壁部材６０は、空隙部が網目状構造体から成るが、網目状構造体は、線状体、繊維状体が絡み合うことによって網目状の空隙を多数有するもの、あるいは全体的に繋がった線状体、繊維状体、壁状体によって規則的な網目状の空隙を多数有するものであり、例えば、不織布、綿状体、織布、魚網、昆虫採集網、蜂の巣等の構造体である。壁部材６０は、このような網目状構造体を、少なくとも一部に含んでいればよい。本発明の表示装置における網目状構造体は、発泡ポリウレタンゴム等の樹脂等から成る柔軟な連続構造体である稠密体を母体とし、その母体に多数の孔が形成されている多孔質構造の稠密体は含まない。このような柔軟な稠密体を母体とする壁部材６０は、通気性があったとしても、透明保護板１１の振動による壁部材６０の内側の空間Ｓの気圧の圧力変動を抑えることができるような通気性を得ることが難しく、圧力損失によって振動エネルギーが拡散、減衰したりしやすくなる。網目状構造体の具体例として、空気清浄フィルタ（スリーエムジャパン社製、製品名「フィルタレット」）などがある。また網目状構造体は、静電気帯電フィルタ等の静電気帯電体であることがよく、この場合集塵効果が向上する。網目状構造体は、例えばその圧力損失は０．１Ｐａ〜１００Ｐａ(通過風速２０ｃｍ／秒における値)であり、厚さは０．５ｍｍ〜５ｍｍ程度である。網目状構造体を含む壁部材６０を用いることによって、壁部材６０の空隙部の流路抵抗を減少させることができるので、操作パネルを構成する透明保護板１１の振動の減衰をより抑制し、透明保護板１１をより効率よく振動させることができる。なお、空気清浄フィルタ（スリーエムジャパン社製、製品名「フィルタレット」）から成る２種類（空隙の密度が異なる）の壁部材６０の圧力損失を測定したところ、壁部材６０の厚みが２ｍｍ、通過風速が２０ｃｍ／秒である場合、これらの圧力損失は５Ｐａ〜７Ｐａであった。
【００３９】
また、壁部材６０の空隙は、壁部材６０の内側の空間に面した開口と、壁部材６０の外側の空間に面した開口とを直管状に繋いだ構造となっていないことが好ましい。すなわち、壁部材６０の内側の空間に面した空隙の開口、および壁部材６０の外側の空間に面した空隙の開口の少なくとも一方において、空隙の開口から壁部材６０の中を見たときに、壁部材６０の実体が開口の少なくとも一部を遮るように存在しているのが好ましい。なお、壁部材６０の実体が開口の少なくとも一部を遮ることは、壁部材６０の中の空隙が開口よりも狭いことを含んでいる。このような構造を有していれば、開口の少なくとも一部を遮るように存在している壁部材６０の実体が、塵等をトラップしやすくなる。壁部材６０の空隙によって構成される、壁部材６０の内側の空間に面した開口および壁部材６０の外側の空間に面した開口のそれぞれの大きさは、例えば単位面積（１ｃｍ2）における平均開口径で１０μｍ〜３００μｍ程度であるが、特にこの範囲に限られるものではない。
【００４０】
例えば、振動体１３によって生じる透明保護板１１の振動の振幅が１５０μｍ〜３００μｍ程度と触覚振動としては大きい（振動のエネルギーが大きい）方である場合、粒径が０．３μｍ程度の粉塵の粒子に対して９９．９７％以上の粒子捕集率を持ち、かつ初期圧力損失が２４５Ｐａ以下の性能（ＪＩＳ  Ｚ  ８１２２に規定）を持つようなＨＥＰＡフィルタを壁部材６０として使っても良い。ＨＥＰＡフィルタは、空気中からゴミ、塵埃などを取り除き、清浄空気にする目的で使用するエアフィルタの一種であり、空気清浄機、クリーンルームのフィルタとして用いられる。
【００４１】
本発明の表示装置において、壁部材６０の内側の空間Ｓに液晶表示パネル２０が配置されており、壁部材６０が液晶表示パネル２０の保護部材として機能し、さらには防塵部材としても機能し得る。また、壁部材６０の内側の空間Ｓに、弾性支持部材５０、振動体１３が配置されていることが好ましく、壁部材６０がそれらの保護部材として機能し、さらには防塵部材としても機能し得る。なお、弾性支持部材５０、振動体１３は、必ずしも壁部材６０の内側の空間Ｓに配置されていなくてもよく、壁部材６０の外側に配置されていてもよい。
【００４２】
以上、本発明について詳細に説明したが、本発明は上述の実施の形態に限定されるものではなく、本発明の要旨を逸脱しない範囲内において種々の変更、改良が可能である。
【符号の説明】
【００４３】
１      液晶表示装置
１０    タッチパネル
１１    透明保護板
１１ａ  操作面
１１ｂ  裏面
１２    接触検知部
１３，１３ａ，１３ｂ  振動体
２０    液晶表示パネル
２０ａ  表示面
２０ｂ  反表示面
２０ｃ  表示部
３０    バックライト装置
３１    導光板
３２    枠体
３３    導体板
４０    筐体
４０ａ  底面
４０ｂ  枠部
５０，５０ａ，５０ｂ，５０ｃ，５０ｄ    弾性支持部材
６０    壁部材
【図１】
2018165920.tif 000003
【図２】
2018165920.tif 000004
【図３】
2018165920.tif 000005